(57)【要約】【課題】デジタルテレビジョン受信装置の決定フィードバック等化器及びその方法を提供する。【解決手段】ＴＣＭデコーディング部が歪補償された信号をデコーディングして、シンボル判定結果及びソフト情報信号を生成し、これにより、決定フィードバック等化器は、１２−Ｄシンボル間隔だけディレイさせたソフト情報信号を利用して非均一量子化過程のための境界レベルを選択し、シンボル判定結果を利用してフィードバックフィルタリングした信号から歪補償された信号を生成するデジタルテレビジョン受信装置である。【選択図】図６
2006166454.tif 000002
【特許請求の範囲】
【請求項１】
歪補償された信号についてのデコーディング過程から、シンボル判定結果とソフト情報信号とを生成するデコーディング部と、
前記ソフト情報信号を利用して選択した境界レベルによって前記歪補償された信号を量子化し、前記シンボル判定結果を利用して前記量子化された信号をフィードバックフィルタリングし、入力信号を前方向フィルタリングした信号と前記フィードバックフィルタリングされた信号とを合成して、前記歪補償された信号として生成するＤＦＥと、を備えることを特徴とするＤＴＶ受信装置。
【請求項２】
前記デコーディング部は、
ＴＣＭデコーディングを行うことを特徴とする請求項１に記載のＤＴＶ受信装置。
【請求項３】
前記シンボル判定結果は、
複数の生存パスのうち、最も小さいパスメトリック値を有する最も生存可能性の高いパスのシーケンスから決定されることを特徴とする請求項１に記載のＤＴＶ受信装置。
【請求項４】
前記ソフト情報信号は、
受信ＶＳＢ信号の次の値が第１データサブセットに近いか、または第２データサブセットに近いかを知らせる信号であることを特徴とする請求項１に記載のＤＴＶ受信装置。
【請求項５】
前記第１データサブセットは、８レベルのうち−７，−３，＋１，＋５レベルを含み、前記第２データサブセットは、８レベルのうち−５，−１，＋３，＋７レベルを含むことを特徴とする請求項４に記載のＤＴＶ受信装置。
【請求項６】
前記デコーディング部は、
前記歪補償された信号から同じシンボル間隔を有するシンボルをそれぞれデコーディングして、それぞれの判定結果とそれぞれの付加情報信号とを生成する複数のデコーダと、
前記デコーダそれぞれで生成された付加情報信号を順次に選択して、選択された付加情報信号を前記ソフト情報信号として出力する第１選択部と、
前記デコーダそれぞれで生成された判定結果を順次に選択して、選択された判定結果を前記シンボル判定結果として出力する第２選択部と、を備えることを特徴とする請求項１に記載のＤＴＶ受信装置。
【請求項７】
前記判定結果それぞれは、互いに複数のシンボル間隔を有するデータであることを特徴とする請求項６に記載のＤＴＶ受信装置。
【請求項８】
前記ＤＦＥは、
前記入力信号を前方向フィルタリングする第１フィルタと、
前記前方向フィルタリングされた入力信号と前記フィードバックフィルタリングされた信号とを合成して、前記歪補償された信号として出力する合算器と、
境界間隔が均一でない決定境界セットを含む複数の決定境界セットを保存し、前記ソフト情報信号に応答してそれに対応する決定境界セットを選択して、選択された決定境界セットに属する前記境界レベルを出力するレベル選択器と、
前記レベル選択器から出力される境界レベルによって、前記歪補償された信号の量子化値を決定して前記量子化された信号を生成する非均一量子化器と、
前記シンボル判定結果を利用して前記量子化された信号をフィードバックフィルタリングして、前記フィードバックフィルタリングされた信号を出力する第２フィルタと、を備えることを特徴とする請求項１に記載のＤＴＶ受信装置。
【請求項９】
前記ＤＦＥは、
前記ソフト情報信号を多重−Ｄ（Ｄは、前記デコーディング部のディレイ量）シンボル期間でディレイさせるディレイ器をさらに備え、
前記第２フィルタは、前記量子化された信号に前記デコーディング部のディレイ量を反映させて、ディレイ反映された前記量子化された信号をフィードバックフィルタリングすることを特徴とする請求項８に記載のＤＴＶ受信装置。
【請求項１０】
歪補償された信号についてのデコーディング過程から、シンボル判定結果とソフト情報信号とを生成するステップと、
前記歪補償された信号から生成された前記シンボル判定結果と前記ソフト情報信号とに基づいて、入力信号を歪曲補償するステップと、を含むことを特徴とするＤＴＶ受信方法。
【請求項１１】
前記ソフト情報信号を利用して選択した境界レベルによって、前記歪補償された信号を量子化するステップをさらに含み、
前記歪補償ステップは、
前記シンボル判定結果を利用して、前記量子化された信号をフィードバックフィルタリングするステップと、
前記入力信号を前方向フィルタリングした信号と前記フィードバックフィルタリングされた信号とを合成して、前記歪補償された信号として生成するステップと、を含むことを特徴とする請求項１０に記載のＤＴＶ受信方法。
【請求項１２】
前記デコーディングは、
ＴＣＭデコーディングであることを特徴とする請求項１０に記載のＤＴＶ受信方法。
【請求項１３】
前記シンボル判定結果は、
複数の生存パスのうち、最も小さいパスメトリック値を有する最も生存可能性の高いパスのシーケンスから決定されることを特徴とする請求項１０に記載のＤＴＶ受信方法。
【請求項１４】
前記ソフト情報信号は、
受信ＶＳＢ信号の次の値が第１データサブセットに近いか、または第２データサブセットに近いかを知らせる信号であることを特徴とする請求項１０に記載のＤＴＶ受信方法。
【請求項１５】
前記第１データサブセットは、８レベルのうち−７，−３，＋１，＋５レベルを含み、前記第２データサブセットは、８レベルのうち−５，−１，＋３，＋７レベルを含むことを特徴とする請求項１４に記載のＤＴＶ受信方法。
【請求項１６】
前記デコーディングは、
相異なって区別されるシンボルをデコーディングする複数のデコーダそれぞれが、前記歪補償された信号から同じシンボル間隔を有するシンボルをＴＣＭデコーディングして、それぞれの判定結果とそれぞれの付加情報信号とを生成するステップと、
前記デコーダそれぞれで生成された付加情報信号を順次に選択して、選択された付加情報信号を前記ソフト情報信号として出力するステップと、
前記デコーダそれぞれで生成された判定結果を順次に選択して、選択された判定結果を前記シンボル判定結果として出力するステップと、を含むことを特徴とする請求項１０に記載のＤＴＶ受信方法。
【請求項１７】
前記判定結果それぞれは、互いに複数のシンボル間隔を有するデータであることを特徴とする請求項１６に記載のＤＴＶ受信方法。
【請求項１８】
前記境界レベルは、
境界間隔が均一でない決定境界セットを含む複数の決定境界セットのうち、前記ソフト情報信号によって選択されたいずれか一つに属する境界レベルであることを特徴とする請求項１１に記載のＤＴＶ受信方法。
【請求項１９】
前記ＤＴＶ受信方法は、
前記ソフト情報信号を多重−Ｄ（Ｄは、前記デコーディング部のディレイ量）シンボル期間でディレイさせるステップをさらに含み、
前記フィードバックフィルタリングで、前記量子化された信号に前記デコーディング過程のディレイ量を反映させて、ディレイ反映された前記量子化された信号をフィードバックフィルタリングすることを特徴とする請求項１１に記載のＤＴＶ受信方法。
【発明の詳細な説明】
【技術分野】
【０００１】
本発明は、デジタルテレビジョン（以下、“ＤＴＶ”と略称する）受信装置に係り、特にＤＴＶ受信装置の等化器及びその方法に関する。
【背景技術】
【０００２】
最近、放送用システムに急激にデジタル化が進展している。地上波の場合に、ヨーロッパは、ＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）に基づいたＤＶＢ−Ｔ（Ｔｅｒｒｅｓｔｒｉａｌ Ｄｉｇｉｔａｌ Ｖｉｄｅｏ Ｂｒｏａｄｃａｓｔｉｎｇ）に標準化が進められ、米国は、ＶＳＢ（Ｖｅｓｔｉｇｉａｌ Ｓｉｄｅｂａｎｄ Ｂｒｏａｄｃａｓｔｉｎｇ）方式に基づいて標準化が進められた。ＶＳＢ信号は、ＡＴＳＣ（Ａｄｖａｎｃｅｄ Ｔｅｌｅｖｉｓｉｏｎ Ｓｕｂｃｏｍｍｉｔｔｅｅ）で規定している。特に、韓国が採択した米国のＤＴＶ受信システムのために、マルチパスチャンネル下でシンボル間の干渉が多いＶＳＢ信号を受信して、安定的に復調及びデコーディングできる強健な受信装置が要求されている。
【０００３】
図１は、ＶＳＢ信号を処理する一般的なＤＴＶ受信装置１００のブロック図である。図１に示すように、受信装置１００は、チューナ１１０、復調器１２０、等化器１３０及びＴＣＭ（Ｔｒｅｌｌｉｓ−ｃｏｄｅｄ Ｍｏｄｕｌａｔｉｏｎ）デコーディング部１４０を備える。周知のように、ＴＣＭデコーディングは、熱的ノイズに対するシステムの強健性を改善するためのエラー訂正テクニックを使用し、かかるテクニックでの容易なデコーディングアルゴリズムと結合された強力な性能のため、広く使われているものの一つである。ＴＣＭデコーディング部１４０の出力ＯＵＴは、所定の信号処理部で処理されてディスプレイ及びオーディオのための信号として出力される。
【０００４】
図２は、図１の等化器１３０として使われる従来のＤＦＥ（Ｄｅｃｉｓｉｏｎ−Ｆｅｅｄｂａｃｋ Ｅｑｕａｌｉｚｅｒ）２００の一例を示す。図２に示すように、前記ＤＦＥ ２００は、前方向フィルタ２１０、合算器２２０、スライサ２３０及びフィードバックフィルタ２４０を備える。ＤＦＥ ２００は、図１の復調器１２０の出力を入力信号ＩＮＰＵＴとして受けて歪を補償し、補償された信号をＴＣＭデコーダに出力する。ＤＦＥ ２００は、ＴＣＭデコーダの前で動作し、これによりフィードバック過程を行うためにコード化されていないシンボルを使用する。しかし、コード化されていないシンボルの信頼性は、普通非常に低いという問題点がある。
【０００５】
図３は、図２を改善するために、ＴＣＭデコーディング部３２０と結合されたＤＦＥ ３１０を有する他のＤＴＶ受信装置３００を示す。図３に示すように、ＤＦＥ ３１０は、前方向フィルタ３１１、合算器３１２、８−レベルスライサ３１３及びフィードバックフィルタ３１４を備える。ＴＣＭデコーディング部３２０は、ＤＦＥ ３１０の出力ＥＱＯをデコーディングする。ＴＣＭデコーディング部３２０は、ＴＣＭエンコーディングの逆過程を行うブランチメトリック計算及び逆追跡過程からシンボル判定結果Ｈ１，Ｈ２，Ｈ３，…を生成する。フィードバックフィルタ３１４にフィードバックされるシンボル判定結果Ｈ１，Ｈ２，Ｈ３，…は、最も生存可能性が高いパスから生成されるので信頼性が高い。
【０００６】
しかし、シンボル判定結果Ｈ１，Ｈ２，Ｈ３，…を出力ＯＵＴとして生成するＴＣＭデコーディング部３２０がディレイＤなしに理想的に動作しようとすれば、さらに速いシステムクロックレートが要求され、これは、ハードウェアの複雑度及び消費電力を増加させる。これを避けるために、フィードバックフィルタ３１４には、ＴＣＭデコーディング部３２０でのディレイＤだけのタップが追加される。フィードバックフィルタ３１４は、８−レベルスライサ３１３の出力がディレイＤだけ遅延反映された信号と、ＴＣＭデコーディング部３２０の出力ＯＵＴであるシンボル判定結果Ｈ１，Ｈ２，Ｈ３，…とをフィルタリングする。しかし、ＴＣＭデコーディング部３２０と結合されたＤＦＥ ３１０が、ＴＣＭデコーディング部３２０の最も生存可能性の高いパスから生成された信頼性のあるシンボル判定結果Ｈ１，Ｈ２，Ｈ３，…を使用するので、図２の等化器２００より性能が良好であるとしても、まだ受信ＶＳＢ信号のゴーストディレイがＤシンボル以下であれば、良い性能を発揮できないという問題点がある。
【０００７】
参考に、ＶＳＢ信号を送信する送信器は、図４のような構成のＴＣＭエンコーディング装置４００を備える。図４に示すように、ＡＴＳＣ放送システムに使われるＴＣＭエンコーディング装置４００は、第１スイッチング部４１０、１２個の並列ＴＣＭエンコーダ４２０〜４４０及び第２スイッチング部４５０を備える。例えば、第１ ＴＣＭエンコーダ４２０は、入力データのうち第１シンボルグループ、すなわち１番目、１３番目、２５番目のシンボルをＴＣＭエンコーディングする。第２ ＴＣＭエンコーダ４３０は、入力データのうち第２シンボルグループ、すなわち２番目、１４番目、２６番目のシンボルをＴＣＭエンコーディングする。同様に、第１２ ＴＣＭエンコーダ４４０は、入力データのうち第１２シンボルグループ、すなわち１２番目、２４番目、３６番目のシンボルをＴＣＭエンコーディングする。かかるＴＣＭエンコーディング装置４００でのコードインターリービングの実行により、出力データの間には１２シンボルの間隔がある。かかるエンコーディングメカニズムについては、当業者によく知られている。
【０００８】
図３のＴＣＭデコーディング部３２０は、図５のような構成を有する。図５に示すように、ＡＴＳＣ放送システムに使われるＴＣＭデコーディング部３２０は、第１スイッチング部３２１、１２個の並列ＴＣＭデコーダ３２２〜３２４及び第２スイッチング部３２５を備える。ＴＣＭデコーダ３２２〜３２４は、それぞれブランチメトリック計算及び逆追跡過程を行い、これにより最も生存可能性の高いパスからシンボル判定結果Ｈ１，Ｈ２，Ｈ３，…を生成する。シンボル判定結果Ｈ１，Ｈ２，Ｈ３，…の間には、１２シンボルの間隔がある。かかるデコーディングメカニズムについては、当業者によく知られている。
【発明の開示】
【発明が解決しようとする課題】
【０００９】
本発明が解決しようとする課題は、ＴＣＭデコーダからの判定結果を利用し、ＴＣＭデコーダがブランチメトリック計算及び逆追跡過程でディレイを誘発する場合にも、ディレイの短いチャンネル環境で性能が優秀なＤＴＶ受信装置のＤＦＥ及びその方法を提供するところにある。
【課題を解決するための手段】
【００１０】
前記の課題を解決するための本発明の一面によるＤＴＶ受信装置は、デコーディング部及びＤＦＥを備えることを特徴とする。前記デコーディング部は、歪補償された信号についてのデコーディング過程からシンボル判定結果とソフト情報信号とを生成する。前記ＤＦＥは、前記ソフト情報信号を利用して選択した境界レベルによって前記歪補償された信号を量子化し、前記シンボル判定結果を利用して前記量子化された信号をフィードバックフィルタリングし、入力信号を前方向フィルタリングした信号と前記フィードバックフィルタリングされた信号とを合成して、前記歪補償された信号として生成する。前記デコーディング部は、ＡＴＳＣ標準によるＴＣＭデコーディングを行うことを特徴とする。
【００１１】
前記の課題を解決するための本発明の一面によるＤＴＶ受信方法は、歪補償された信号についてのデコーディング過程から、シンボル判定結果とソフト情報信号とを生成するステップ、前記ソフト情報信号を利用して選択した境界レベルによって、前記歪補償された信号を量子化するステップ、前記シンボル判定結果を利用して、前記量子化された信号をフィードバックフィルタリングするステップ、及び入力信号を前方向フィルタリングした信号と前記フィードバックフィルタリングされた信号とを合成して、前記歪補償された信号として生成するステップを含むことを特徴とする。
【発明の効果】
【００１２】
本発明によるＤＴＶ受信装置では、付加的なソフト情報信号を利用して決定信頼性を改善した方式のＤＦＥを適用するので、ゴーストディレイが短いチャンネル環境でも性能を向上させる。
【発明を実施するための最良の形態】
【００１３】
本発明と、本発明の動作上の利点及び本発明の実施によって達成される目的を十分に理解するためには、本発明の望ましい実施形態を例示する添付図面及び図面に記載された内容を参照しなければならない。
以下、添付した図面を参照して本発明の望ましい実施形態を説明することにより、本発明を詳細に説明する。各図面に付された同一参照符号は同一部材を示す。
【００１４】
図６は、本発明の一実施形態によるＤＴＶ受信装置６００のブロック図である。図６に示すように、ＤＴＶ受信装置６００は、ＤＦＥ ６１０及びＴＣＭデコーディング部６３０を備える。図６のＤＴＶ受信装置６００の動作説明のために、図１１のフローチャートが参照される。
【００１５】
ＤＦＥ ６１０は、入力信号ＩＮＰＵＴの歪を補償して出力する。入力信号ＩＮＰＵＴは、図１の復調器１２０から出力される信号でありうる。ＤＦＥ６１０に備えられた前方向フィルタ６７０は、周知のＦＩＲ（Ｆｉｎｉｔｅ Ｉｍｐｕｌｓｅ Ｒｅｓｐｏｎｓｅ）フィルタリング方式により入力信号ＩＮＰＵＴをフィルタリングできる（図１１のＳ１１０）。ＤＦＥ ６１０に備えられた合算器６８０は、前方向フィルタ６７０でフィルタリングされた信号と、フィードバックフィルタ６６０から出力されるフィードバックフィルタリングされた信号とを合成し、合成された結果をＤＦＥ ６１０の歪補償された信号ＥＱＯとして生成する（図１１のＳ１２０）。ＤＦＥ ６１０に備えられたディレイ器６４０及びスライサ６５０について、さらに詳細に後述する。
【００１６】
ＴＣＭデコーディング部６３０は、ＤＦＥ ６１０から出力された歪補償された信号ＥＱＯについて、ＡＴＳＣ標準によるＴＣＭデコーディングを行う。ＴＣＭデコーディングでは、送信側で行うＴＣＭエンコーディングの逆過程のためのブランチメトリック計算及び逆追跡過程を行う。まず、図７のように、ＴＣＭエンコーダ７００は、トレリスエンコーダ７１０及びマッパ７２０を備える。トレリスエンコーダ７１０は、第１ビットメモリ７１１、合算器７１２及び第２ビットメモリ７１３を利用して、送信するビットデータＺ２，Ｚ１にビートＺ０を追加し、これによりマッパ７２０は、データＺ２，Ｚ１，Ｚ０が指す８個の（−７，−５，−３，−１，＋１，＋３，＋５，＋７）値によってマッピングして、マッピングされた信号をエンコーディングされた８−レベルＶＳＢ信号として出力する。送信側でエンコーディングされた８−レベルＶＳＢ信号は、搬送波に載せられて伝送される。
【００１７】
ＴＣＭデコーディング部６３０は、歪補償された信号ＥＱＯについてのデコーディング過程から、シンボル判定結果Ｈ１，Ｈ２，Ｈ３，…及びソフト情報信号αを生成する（図１１のＳ１３０）。周知のように、ＴＣＭデコーディング部６３０の出力ＯＵＴＰＵＴであるシンボル判定結果Ｈ１，Ｈ２，Ｈ３，…は、４個の生存パスのうち最も小さいパスメトリック値を有する最も生存可能性の高いパスのシーケンスから決定される。
【００１８】
ソフト情報信号αは、受信ＶＳＢ信号の次の値が８−レベルのうち−７，−３，＋１，＋５レベルに該当する第１データサブセットに近いか、または受信ＶＳＢ信号の次の値が８−レベルのうち−５，−１，＋３，＋７レベルに該当する第２データサブセットに近いかを知らせる。ソフト情報信号αは、数式１のように表現されうる。数式１で、ＰＭ００は、ＴＣＭデコーディング部６３０に入力される歪補償された信号ＥＱＯが状態００にマージされるパスのパスメトリック値、ＰＭ１０は、歪補償された信号ＥＱＯが状態１０にマージされるパスのパスメトリック値、ＰＭ０１は、歪補償された信号ＥＱＯが状態０１にマージされるパスのパスメトリック値、ＰＭ１１は、歪補償された信号ＥＱＯが状態１１にマージされるパスのパスメトリック値である。かかるパスメトリック値は、周知のブランチメトリック計算過程から誘導されうる。
【００１９】
【数１】
2006166454.tif 000003
【００２０】
結局、ＴＣＭデコーディング部６３０で生成されるソフト情報信号αは、次の状態を予測して予め知らせる信号であり、次のシンボル間隔で決定信頼性を改善するためにＤＦＥ ６１０で利用されうる。
【００２１】
図８は、ＴＣＭデコーディング過程で受信信号の現在状態から次の状態をどのように予測できるかを説明するトレリスダイヤグラムである。図８に示すように、デコーディング過程で、ＴＣＭデコーダは、あらゆる可能なエンコーダ状態００，０１，１０，１１それぞれにマージされる４個の生存パスを選択し、それぞれの状態にマージされるパスは、該当パスメトリック値ＰＭ００，ＰＭ０１，ＰＭ１０またはＰＭ１１を有する。
【００２２】
一方、図８で、図７のＴＣＭエンコーダのビットメモリ７１１，７１３の現在状態が００または１０であり、次のビットデータＺ２，Ｚ１が０または１と入力されるあらゆる場合を仮定すれば、次のエンコーダ状態は００または０１であるということが分かる。これは、次のシンボルが８−レベルのうち−７，−３，＋１，＋５レベルに該当する第１データサブセットに属する確率が高いということを意味する。同様に、ＴＣＭエンコーダの現在状態が０１または１１である場合には、次のエンコーダ状態は１０または１１であるということが分かる。これは、次のシンボルが８−レベルのうち−５，−１，＋３，＋７レベルに該当する第２データサブセットに属する確率が高いということを意味する。
【００２３】
したがって、次のシンボル値は、座標点−７，−３，＋１，＋５のうちいずれか一つに近くなるか、または座標点−５，−１，＋３，＋７のうちいずれか一つに近くなる。これを決定するために、ソフト情報信号αが利用されうる。ソフト情報信号αは、簡単に実現可能にするために数式２のように表現されうる。その他にも、ソフト情報信号αは、容易に実現するように他の式で表現されることもある。数式２で、ｍｉｎ（ ）は、要素のうち最小値である。
【００２４】
【数２】
2006166454.tif 000004
【００２５】
数式１または数式２で、α＞＞０であるとき、パスメトリック値ＰＭ００及び／またはＰＭ１０がＰＭ０１及び／またはＰＭ１１より非常に小さいということを意味し、次のエンコーダ状態は００または０１となり、次のシンボル値は、−７，−３，＋１，＋５レベルに該当する第１データサブセットに属する可能性の高いということを意味する。周知のように、最も小さいパスメトリック値を有するパスが最も生存可能性の高いパスであると仮定される。同様に、α＜＜０であるとき、次のシンボル値は、−５，−１，＋３，＋７レベルに該当する第２データサブセットに属する可能性の高いということを意味する。α＝０であれば、次のシンボル値は、８個のあらゆる可能なレベル−７，−５，−３，−１，＋１，＋３，＋５，＋７のうちいずれか一つに属する可能性が同じである。このように、ソフト情報信号αの種々の値によって、次のシンボル値がどのレベルに属するかが予測され、したがって、前記三つの場合以外にも、ソフト情報信号α値の他の種々の場合にもスライサ６５０での決定に利用されうる。
【００２６】
図１０は、歪補償された信号ＥＱＯについてのデコーディング過程から、シンボル判定結果Ｈ１，Ｈ２，Ｈ３，…及びソフト情報信号αを生成する図６のＴＣＭデコーディング部６３０の具体的なブロック図である。図１０に示すように、ＴＣＭデコーディング部６３０は、入力スイッチング部６３１、１２個のＴＣＭデコーダ６３２〜６３４、α選択部６３５及び決定選択部６３６を備える。
【００２７】
入力スイッチング部６３１は、ＤＦＥ ６１０から出力される歪補償された信号ＥＱＯを受信して、各シンボルストリームを１２個のＴＣＭデコーダ６３２〜６３４に順次に分配する。これにより、１２個のＴＣＭデコーダ６３２〜６３４は、それぞれ歪補償された信号ＥＱＯの１２シンボル間隔を有するシンボルをＴＣＭデコーディングして、それぞれの判定結果Ｈ１，Ｈ２，…，ＨＮ及びそれぞれの付加情報信号α１，α２，…，α１２を生成する（図１１のＳ１３０）。例えば、第１ ＴＣＭデコーダ６３２は、第１シンボルグループ、すなわち１番目、１３番目、２５番目のシンボルをＴＣＭデコーディングし、数式１または数式２による第１付加情報信号α１を生成する。同様に、第２ ＴＣＭデコーダ６３３は、第２シンボルグループ、すなわち２番目、１４番目、２６番目のシンボルをＴＣＭデコーディングし、第２付加情報信号α２を生成する。また、第１２ ＴＣＭデコーダ６３４は、第１２シンボルグループ、すなわち１２番目、２４番目、３６番目のシンボルをＴＣＭデコーディングし、第１２付加情報信号α１２を生成する。
【００２８】
α選択部６３５は、デコーダ６３２〜６３４それぞれで生成された付加情報信号α１，α２，…，α１２を順次に選択して、選択された付加情報信号をソフト情報信号αとして出力する。決定選択部６３６は、デコーダ６３２〜６３４それぞれで生成された判定結果Ｈ１，Ｈ２，…，ＨＮを順次に選択して、選択された判定結果をシンボル判定結果Ｈ１，Ｈ２，Ｈ３，…として出力する。かかるＴＣＭデコーダ６３２〜６３４でのコードインターリービングの実行により、シンボル判定結果Ｈ１，Ｈ２，Ｈ３，…の間には１２シンボル間隔がある。
【００２９】
一方、図６で、ＤＦＥ ６１０は、前方向フィルタ６７０、合算器６８０、ディレイ器６４０、スライサ６５０及びフィードバックフィルタ６６０を備える。
【００３０】
前方向フィルタ６７０は、復調された信号である入力信号ＩＮＰＵＴを前方向フィルタリングする。前方向フィルタ６７０は、周知のＦＩＲフィルタリング方式により入力信号ＩＮＰＵＴをフィルタリングできる。すなわち、前方向フィルタ６７０は、入力信号ＩＮＰＵＴを遅延させて生成したタップ数だけの遅延信号とフィルタリング係数とを乗算し、乗算された値を合算して出力する。かかるＦＩＲフィルタリング方式は、フィードバックフィルタ６６０にも適用されうる。合算器６８０は、前方向フィルタ６７０でフィルタリングされた信号と、フィードバックフィルタ６６０から出力されるフィードバックフィルタリングされた信号とを合成し、合成された結果をＤＦＥ ６１０の歪曲補償された信号ＥＱＯとして生成する。
【００３１】
一方、ディレイ器６４０は、デコーディング部６３０で生成されたソフト情報信号αを１２−Ｄシンボル期間ディレイさせる（図１１のＳ１４０）。Ｄは、デコーディング部６３０のＴＣＭデコーダ６３２〜６３４のブランチメトリック計算及び逆追跡過程の間にディレイされる量であり、これは、１２シンボル期間よりは少ないと仮定される。
【００３２】
スライサ６５０は、レベル選択器６５２及び非均一量子化器６５１を備える。レベル選択器６５２は、ＲＯＭ（Ｒｅａｄ Ｏｎｌｙ Ｍｅｍｏｒｙ）と類似している。レベル選択器６５２は、境界間隔が均一でない決定境界セットを含む複数の決定境界セットを保存し、デコーディング部６３０で生成されたソフト情報信号αに応答してそれに対応する決定境界セットを選択して、選択された決定境界セットに属する境界レベルを出力する。決定境界セットは、図９のように５セットでありうる。非均一量子化器６５１は、レベル選択器６５２から出力される各セットに含まれた境界レベルによって、歪補償された信号の量子化値を決定して量子化された信号を生成する（図１１のＳ１５０）。
【００３３】
図９に示すように、α＞０であるとき、レベル選択器６５２で選択された決定境界セットに含まれた境界レベルにおいて、−７，−３，＋１，＋５レベルそれぞれに該当する領域は広くなり、−５，−１，＋３，＋７レベルそれぞれに該当する領域は狭くなる。α＞＞０であるとき、レベル選択器６５２で選択された決定境界セットに含まれた境界レベルにおいて、−５，−１，＋３，＋７レベルそれぞれに該当する領域は非常に狭くなるので、スライサ６５０は、−７，−３，＋１，＋５レベルそれぞれに該当する４−レベルスライサとして動作してもよい。同様に、α＝０であるとき、レベル選択器６５２で選択された決定境界セットに含まれた境界レベルにおいては、−５，−１，＋３，＋７レベルそれぞれに該当する領域と−７，−３，＋１，＋５レベルそれぞれに該当する領域とがいずれも同じであるので、スライサ６５０は、８−レベルスライサとして動作してもよい。α＜０であるとき、レベル選択器６５２で選択された決定境界セットに含まれた境界レベルにおいて、−５，−１，＋３，＋７レベルそれぞれに該当する領域は広くなり、−７，−３，＋１，＋５レベルそれぞれに該当する領域は狭くなる。α＜＜０であるとき、レベル選択器６５２で選択された決定境界セットに含まれた境界レベルにおいては、−７，−３，＋１，＋５レベルそれぞれに該当する領域は非常に狭くなるので、スライサ６５０は、−５，−１，＋３，＋７レベルそれぞれに該当する４−レベルスライサとして動作してもよい。前記で５個のセットを含む決定境界セットを仮定したが、これに限定されず、必要によってさらに多くの精密な決定境界セットを含むことができる。
【００３４】
一方、フィードバックフィルタ６６０は、周知のＦＩＲフィルタリング方式によりスライサ６５０で量子化された信号をフィードバックフィルタリングできる。フィードバックフィルタ６６０は、複数のディレイ手段６６１、乗算器６６２及び合算器６６３を備える。複数のディレイ手段６６１は、スライサ６５０で量子化された信号と、デコーディング部６３０から出力されたシンボル判定結果Ｈ１，Ｈ２，Ｈ３，…から所定タップ数だけの遅延信号とを生成する。特に、量子化された信号は、複数のディレイ手段６６１によりデコーディング部６３０のディレイ量Ｄだけ遅延されて、複数のディレイ手段６６１の遅延信号の生成に反映される。これにより、乗算器６６２は、複数のディレイ手段６６１から出力される遅延信号と所定のフィルタリング係数とを乗算する。乗算された値は、合算器６６３で合算されて前記フィードバックフィルタリングされた信号として出力される（図１１のＳ１６０）。
【００３５】
結局、ＤＦＥ ６１０は、ソフト情報信号αを利用して選択した境界レベルによって、歪補償された信号ＥＱＯを量子化する。また、ＤＦＥ ６１０は、シンボル判定結果Ｈ１，Ｈ２，Ｈ３，…を利用して、量子化された信号をフィードバックフィルタリングする。フィードバックフィルタリングされた信号は、入力信号ＩＮＰＵＴが前方向フィルタリングされた信号と合成され、合成された信号は、歪補償された信号ＥＱＯとして生成される。
【００３６】
前述したように、本発明の一実施形態によるＤＴＶ受信装置６００では、ＴＣＭデコーディング部６３０が歪補償された信号ＥＱＯをデコーディングして、シンボル判定結果Ｈ１，Ｈ２，Ｈ３，…及びソフト情報信号αを生成し、これにより、ＤＦＥ６１０は、１２−Ｄシンボル間隔だけディレイさせたソフト情報信号αを利用して、非均一量子化過程のための境界レベルを選択し、シンボル判定結果Ｈ１，Ｈ２，Ｈ３，…を利用して、フィードバックフィルタリングした信号から歪補償された信号ＥＱＯを生成する。
【００３７】
以上のように、図面と明細書で最適の実施形態が開示された。ここで、特定の用語が使われたが、これは単に、本発明の説明目的で使われたものであり、意味限定や特許請求の範囲に記載された本発明の範囲を制限するために使われたものではない。したがって、当業者であれば、これから多様な変形及び均等な他の実施形態が可能であるという点を理解できるであろう。したがって、本発明の真の技術的な保護範囲は、特許請求の範囲の技術的思想により定めなければならない。
【産業上の利用可能性】
【００３８】
本発明は、ＶＳＢ信号を処理するＤＴＶ受信装置に利用できる。
【図面の簡単な説明】
【００３９】
【図１】一般的なＤＴＶ受信装置のブロック図である。
【図２】従来のＤＦＥの一例を示す図である。
【図３】従来のＤＦＥの他の方式の例を示す図である。
【図４】一般的なＴＣＭエンコーディング装置を示すブロック図である。
【図５】一般的なＴＣＭデコーディング装置を示すブロック図である。
【図６】本発明の一実施形態によるＤＴＶ受信装置のブロック図である。
【図７】ＴＣＭエンコーディングアルゴリズムを説明するための図である。
【図８】ＴＣＭデコーディング過程で、受信信号の現在状態から次の状態をどのように予測できるかを説明するトレリスダイヤグラムである。
【図９】図６のスライサで選択された境界レベルによる量子化方法を説明するための図である。
【図１０】図６のＴＣＭデコーディング部の具体的なブロック図である。
【図１１】図６のＤＴＶ受信装置の動作説明のためのフローチャートである。
【符号の説明】
【００４０】
６００    ＤＴＶ受信装置
６１０    ＤＦＥ
６３０    ＴＣＭデコーディング部
６４０    ディレイ器
６５０    スライサ
６５１    非均一量子化器
６５２    レベル選択器
６６０    フィードバックフィルタ
６６１    ディレイ手段
６６２    乗算器
６７０    前方向フィルタ
６８０    合算器
【図１】
2006166454.tif 000005
【図２】
2006166454.tif 000006
【図３】
2006166454.tif 000007
【図４】
2006166454.tif 000008
【図５】
2006166454.tif 000009
【図６】
2006166454.tif 000010
【図７】
2006166454.tif 000011
【図８】
2006166454.tif 000012
【図９】
2006166454.tif 000013
【図１０】
2006166454.tif 000014
【図１１】
2006166454.tif 000015